(57)【特許請求の範囲】
【請求項１】
Ｘ線源が第１のビュー角度範囲に位置しているときのＸ線出力レベルを、前記第１のビュー角度範囲とは異なる第２のビュー角度範囲に位置しているときよりも小さくするスキャンを行うＸ線ＣＴ装置であって、
被検体の所望の部位を内包する、少なくとも前記被検体の体軸方向の範囲を、前記体軸方向に垂直な境界を定めることにより設定する第１の設定手段と、
走査ガントリのチルト角を設定する第２の設定手段と、
前記第１の設定手段により設定された第１の範囲と、前記第２の設定手段により設定されたチルト角とに基づいて、前記走査ガントリを該チルト角で傾斜させた場合の前記スキャンの領域に前記所望の部位が内包されるよう、前記スキャンを行う前記体軸方向の範囲を算出して設定する第３の設定手段とを備えており、
前記第３の設定手段は、
前記体軸方向に垂直な面を前記チルト角分だけ傾斜させた面であって、円柱状の撮像視野空間のうち前記第１の範囲に含まれ、かつ、前記所望の部位を内包する所定のビュー角度範囲に含まれる関心領域の前記体軸方向に沿った一端と接する面が、前記スキャンの開始時および終了時の一方のスキャン面となり、
前記傾斜させた面であって、前記関心領域の前記体軸方向に沿った他端と接する面が、前記スキャンの開始時および終了時の他方のスキャン面となるように、前記スキャンを行う前記体軸方向の範囲を算出するＸ線ＣＴ装置。
【請求項２】
Ｘ線源が第１のビュー角度範囲に位置しているときのＸ線出力レベルを、前記第１のビュー角度範囲とは異なる第２のビュー角度範囲に位置しているときよりも小さくするスキャンを行うＸ線ＣＴ装置であって、
被検体の所望の部位を内包する、少なくとも前記被検体の体軸方向の範囲を、前記体軸方向に垂直な境界を定めることにより設定する第１の設定手段と、
走査ガントリのチルト角を設定する第２の設定手段と、
前記第１の設定手段により設定された第１の範囲と、前記第２の設定手段により設定されたチルト角とに基づいて、前記走査ガントリを該チルト角で傾斜させた場合の前記スキャンの領域に前記所望の部位が内包されるよう、前記スキャンを行う前記体軸方向の範囲を算出して設定する第３の設定手段とを備えており、
前記第３の設定手段は、
前記体軸方向に垂直な面を前記チルト角分だけ傾斜させた面であって、円柱状の撮像視野空間のうち前記第１の範囲に含まれ、かつ、前記所望の部位を内包する所定のビュー角度範囲に含まれる関心領域の前記体軸方向に沿った一端と接する面を、前記関心領域の前記体軸方向に沿った他端側に、（（前記チルト角分だけ傾斜した撮像視野の直径）／４）×Ｓｉｎ（前記チルト角）以下の距離だけ移動させた面が、前記スキャンの開始時および終了時の一方のスキャン面となり、
前記傾斜させた面であって、前記関心領域の前記体軸方向に沿った他端と接する面が、前記スキャンの開始時および終了時の他方のスキャン面となるように、前記スキャンを行う前記体軸方向の範囲を算出するＸ線ＣＴ装置。
【請求項３】
Ｘ線源が第１のビュー角度範囲に位置しているときのＸ線出力レベルを、前記第１のビュー角度範囲とは異なる第２のビュー角度範囲に位置しているときよりも小さくするスキャンを行うＸ線ＣＴ装置であって、
被検体の所望の部位を内包する、少なくとも前記被検体の体軸方向の範囲を、前記体軸方向に垂直な境界を定めることにより設定する第１の設定手段と、
走査ガントリのチルト角を設定する第２の設定手段と、
前記第１の設定手段により設定された第１の範囲と、前記第２の設定手段により設定されたチルト角とに基づいて、前記走査ガントリを該チルト角で傾斜させた場合の前記スキャンの領域に前記所望の部位が内包されるよう、前記スキャンを行う前記体軸方向の範囲を算出して設定する第３の設定手段とを備えており、
前記第３の設定手段は、
前記体軸方向に垂直な面を前記チルト角分だけ傾斜させた面であって、円柱状の撮像視野空間のうち前記第１の範囲の内側であり、かつ、前記所望の部位を内包する所定のビュー角度範囲に含まれる関心領域の前記体軸方向に沿った一端と接する面を、前記関心領域の前記体軸方向に沿った他端側に、（（前記チルト角分だけ傾斜した撮像視野の直径）／４）×Ｓｉｎ（前記チルト角）以下の距離だけ移動させた面が、前記スキャンの開始時および終了時の一方のスキャン面となり、
前記傾斜させた面であって、前記他端と接する面を、前記一端側に、（（前記チルト角分だけ傾斜した撮像視野の直径）／４）×Ｓｉｎ（前記チルト角）以下の距離だけ移動させた面が、前記スキャンの開始時および終了時の他方のスキャン面となるように、前記スキャンを行う前記体軸方向の範囲を算出するＸ線ＣＴ装置。
【請求項４】
Ｘ線源が第１のビュー角度範囲に位置しているときのＸ線出力レベルを、前記第１のビュー角度範囲とは異なる第２のビュー角度範囲に位置しているときよりも小さくするスキャンを行うＸ線ＣＴ装置であって、
被検体の所望の部位を内包する、少なくとも前記被検体の体軸方向の範囲を、前記体軸方向に垂直な境界を定めることにより設定する第１の設定手段と、
走査ガントリのチルト角を設定する第２の設定手段と、
前記第１の設定手段により設定された第１の範囲と、前記第２の設定手段により設定されたチルト角とに基づいて、前記走査ガントリを該チルト角で傾斜させた場合の前記スキャンの領域に前記所望の部位が内包されるよう、前記スキャンを行う前記体軸方向の範囲を算出して設定する第３の設定手段とを備えており、
前記第３の設定手段は、
前記体軸方向に垂直な面を前記チルト角分だけ傾斜させた面であって、前記所望の部位が存在する側の体表面の前記体軸方向における輪郭と、前記第１の範囲の一端を通り前記体軸方向に垂直である面との交点を通る面が、前記スキャンの開始時および終了時の一方のスキャン面となり、
前記傾斜させた面であって、前記輪郭と、前記第１の範囲の他端を通り前記体軸方向に垂直である面との交点を通る面が、前記スキャンの開始時および終了時の他方のスキャン面となるように、前記スキャンを行う前記体軸方向の範囲を算出するＸ線ＣＴ装置。
【請求項５】
前記第１の範囲は、前記走査ガントリを前記体軸に垂直な面からチルトさせないで前記スキャンを行う場合の前記体軸方向の範囲である請求項１から請求項４のいずれか一項に記載のＸ線ＣＴ装置。
【請求項６】
Ｘ線源が第１のビュー角度範囲に位置しているときのＸ線出力レベルを、前記第１のビュー角度範囲とは異なる第２のビュー角度範囲に位置しているときよりも小さくするスキャンを行うＸ線ＣＴ装置であって、
被検体の所望の部位を内包する、少なくとも前記被検体の体軸方向の範囲を、前記体軸方向に垂直な境界を定めることにより設定する第１の設定手段と、
走査ガントリのチルト角を設定する第２の設定手段と、
前記第１の設定手段により設定された第１の範囲と、前記第２の設定手段により設定されたチルト角とに基づいて、前記走査ガントリを該チルト角で傾斜させた場合の前記スキャンの領域に前記所望の部位が内包されるよう、前記スキャンを行う前記体軸方向の範囲を算出して設定する第３の設定手段と、
前記被検体の体軸と、前記スキャンの回転中心を通り前記体軸に平行である軸とのずれを特定する特定手段とを備えており、
前記第３の設定手段は、前記特定手段により特定されたずれに基づいて、前記スキャンを行う前記体軸方向の範囲を算出するＸ線ＣＴ装置。
【請求項７】
前記所望の部位は、眼である請求項１から請求項６のいずれか一項に記載のＸ線ＣＴ装置。
【請求項８】
コンピュータを、請求項１から請求項７のいずれか一項に記載のＸ線ＣＴ装置における各手段として機能させるためのプログラム。
【発明の詳細な説明】
【技術分野】
【０００１】
本発明は、Ｘ線ＣＴ（Computed Tomography）装置およびプログラムに関し、詳しくは、放射線感受性の高い部位の被曝低減が可能なスキャン（scan）の実行に適したＸ線ＣＴ装置およびそのためのプログラム（program）に関する。
【背景技術】
【０００２】
Ｘ線ＣＴ装置を用いた撮影において、Ｘ線管が、被検体の体表面近くにある放射線感受性の高い部位に接近する所定のビュー（view）角度範囲にあるときだけ、Ｘ線出力を通常のレベル（level）より小さくするスキャン（以下、被曝低減スキャンという）が知られている（例えば特許文献１、要約参照）。この被曝低減スキャンによれば、再構成画像の画質を一定以上に保ちながら、放射線感受性の高い部位への被曝量を低減させることができる。
【先行技術文献】
【特許文献】
【０００３】
【特許文献１】特開２００４−３２１５８７号公報
【発明の概要】
【発明が解決しようとする課題】
【０００４】
従来は、走査ガントリ（gantry）をチルト（tilt）させないで被曝低減スキャンを行う場合を想定していた。この場合、スキャン面は被検体の体軸に対して垂直となる。そのため、被曝低減の対象となる部位が内包される体軸方向の範囲を、そのまま被曝低減スキャンの範囲として設定すればよかった。
【０００５】
しかしながら、実際には、走査ガントリをチルトさせて被曝低減スキャンを行いたいケース（case）がある。例えば、撮影部位が頭部である場合、放射線感受性の高い部位である眼の被曝を低減しつつ、アーチファクト（artifact）の原因となる歯科治療痕の金属片がスキャン領域に入らないよう、チルトスキャンを行いたいケースがある。この場合、スキャン面が傾斜するので、被曝低減スキャン範囲として設定された体軸方向の範囲と、被曝低減スキャン領域とが一致しない。そのため、従来の被曝低減スキャンの範囲に係る設定を、そのまま適用できなかったり、被曝低減の対象となる部位が、被曝低減スキャン領域からはみ出してしまったりして、適正な被曝低減スキャンを行うことができない。
【０００６】
このような事情により、走査ガントリをチルトしても、適正な被曝低減スキャンを行うことができる技術が望まれている。
【課題を解決するための手段】
【０００７】
第１の観点の発明は、
Ｘ線源が第１のビュー角度範囲に位置しているときのＸ線出力レベル（level）を、前記第１のビュー角度範囲とは異なる第２のビュー角度範囲に位置しているときよりも小さくするスキャンを行うＸ線ＣＴ装置であって、
被検体の所望の部位を内包する、少なくとも前記被検体の体軸方向の範囲を、前記体軸方向に垂直な境界を定めることにより設定する第１の設定手段と、
走査ガントリのチルト角を設定する第２の設定手段と、
前記第１の設定手段により設定された第１の範囲と、前記第２の設定手段により設定されたチルト角とに基づいて、前記走査ガントリを該チルト角で傾斜させた場合の前記スキャンの領域に前記所望の部位が内包されるよう、前記スキャンを行う前記体軸方向の範囲を算出して設定する第３の設定手段とを備えたＸ線ＣＴ装置を提供する。
【０００８】
第２の観点の発明は、
前記第３の設定手段が、
前記体軸方向に垂直な面を前記チルト角分だけ傾斜させた面であって、円柱状の撮像視野空間のうち前記第１の範囲に含まれ、かつ、前記所望の部位を内包する所定のビュー角度範囲に含まれる関心領域の前記体軸方向に沿った一端と接する面が、前記スキャンの開始時および終了時の一方のスキャン面となり、
前記傾斜させた面であって、前記関心領域の前記体軸方向に沿った他端と接する面が、前記スキャンの開始時および終了時の他方のスキャン面となるように、前記スキャンを行う前記体軸方向の範囲を算出する上記第１の観点のＸ線ＣＴ装置を提供する。
【０００９】
第３の観点の発明は、
前記第３の設定手段が、
前記体軸方向に垂直な面を前記チルト角分だけ傾斜させた面であって、円柱状の撮像視野空間のうち前記第１の範囲に含まれ、かつ、前記所望の部位を内包する所定のビュー角度範囲に含まれる関心領域の前記体軸方向に沿った一端と接する面を、前記関心領域の前記体軸方向に沿った他端側に、（（前記チルト角分だけ傾斜した撮像視野の直径）／４）×Ｓｉｎ（前記チルト角）以下の距離だけ移動させた面が、前記スキャンの開始時および終了時の一方のスキャン面となり、
前記傾斜させた面であって、前記関心領域の前記体軸方向に沿った他端と接する面が、前記スキャンの開始時および終了時の他方のスキャン面となるように、前記スキャンを行う前記体軸方向の範囲を算出する上記第１の観点のＸ線ＣＴ装置を提供する。
【００１０】
第４の観点の発明は、
前記第３の設定手段が、
前記体軸方向に垂直な面を前記チルト角分だけ傾斜させた面であって、円柱状の撮像視野空間のうち前記第１の範囲の内側であり、かつ、前記所望の部位を内包する所定のビュー角度範囲に含まれる関心領域の前記体軸方向に沿った一端と接する面を、前記関心領域の前記体軸方向に沿った他端側に、（（前記チルト角分だけ傾斜した撮像視野の直径）／４）×Ｓｉｎ（前記チルト角）以下の距離だけ移動させた面が、前記スキャンの開始時および終了時の一方のスキャン面となり、
前記傾斜させた面であって、前記他端と接する面を、前記一端側に、（（前記チルト角分だけ傾斜した撮像視野の直径）／４）×Ｓｉｎ（前記チルト角）以下の距離だけ移動させた面が、前記スキャンの開始時および終了時の他方のスキャン面となるように、前記スキャンを行う前記体軸方向の範囲を算出する上記第１の観点のＸ線ＣＴ装置を提供する。
【００１１】
第５の観点の発明は、
前記第３の設定手段が、
前記体軸方向に垂直な面を前記チルト角分だけ傾斜させた面であって、前記所望の部位が存在する側の体表面の前記体軸方向における輪郭と、前記第１の範囲の一端を通り前記体軸方向に垂直である面との交点を通る面が、前記スキャンの開始時および終了時の一方のスキャン面となり、
前記傾斜させた面であって、前記輪郭と、前記第１の範囲の他端を通り前記体軸方向に垂直である面との交点を通る面が、前記スキャンの開始時および終了時の他方のスキャン面となるように、前記スキャンを行う前記体軸方向の範囲を算出する上記第１の観点のＸ線ＣＴ装置を提供する。
【００１２】
第６の観点の発明は、
前記第１の範囲が、前記走査ガントリを前記体軸に垂直な面からチルトさせないで前記スキャンを行う場合の前記体軸方向の範囲である上記第１の観点から第５の観点のいずれか一つの観点のＸ線ＣＴ装置を提供する。
【００１３】
第７の観点の発明は、
前記被検体の体軸と、前記スキャンの回転中心を通り前記体軸に平行である軸とのずれを特定する特定手段をさらに備えており、
前記第３の設定手段が、前記特定手段により特定されたずれに基づいて、前記スキャンを行う前記体軸方向の範囲を算出する上記第１の観点のＸ線ＣＴ装置を提供する。
【００１４】
第８の観点の発明は、
前記所望の部位が、眼である上記第１の観点から第７の観点のいずれか一つの観点のＸ線ＣＴ装置を提供する。
【００１５】
第９の観点の発明は、
Ｘ線ＣＴ装置を構成するコンピュータ（computer）を、
被検体の所望の部位を内包する、少なくとも前記被検体の体軸方向の範囲を、体軸方向に垂直な境界を定めることにより設定する第１の設定手段と、
走査ガントリのチルト角を設定する第２の設定手段と、
前記第１の設定手段により設定された第１の範囲と、前記第２の設定手段により設定されたチルト角とに基づいて、Ｘ線源が第１のビュー角度範囲に位置しているときのＸ線出力レベルを、前記第１のビュー角度範囲とは異なる第２のビュー角度範囲に位置しているときよりも小さくするスキャンの領域であって、前記走査ガントリを該チルト角で傾斜させた場合のスキャンの領域に前記所望の部位が内包されるよう、前記スキャンを行う前記体軸方向の範囲を算出して設定する第３の設定手段として機能させるためのプログラム。
【００１６】
ここで、「ビュー角度」とは、Ｘ線管あるいはＸ線焦点の回転角度位置を規定するものであり、ガントリ角度ともいう。
【００１７】
また、「スキャンの領域」とは、そのスキャンによってＸ線が照射される領域を意味する。
【００１８】
また、「回転中心を通り体軸に平行である軸」は、走査ガントリの空洞部の中心軸であり、アイソセンタ（iso-center）ともいう。
【発明の効果】
【００１９】
上記観点の発明によれば、設定された体軸方向の範囲から、被曝低減の対象となる部位の場所を推定し、その場所を含むように、スキャン面がチルトしたスキャン領域を設定することができ、走査ガントリをチルトしても、適正な前記スキャンを行うことができる。
【図面の簡単な説明】
【００２０】
【図１】発明の実施形態によるＸ線ＣＴ装置の構成を概略的に示す図である。
【図２】本実施形態によるＸ線ＣＴ装置におけるスキャンの実行に係る部分の機能ブロック（block）図である。
【図３】ＣＴスキャン範囲の設定例を示す図である。
【図４】被曝低減スキャン範囲の設定例を示す図である。
【図５】撮影部位とＸ線出力低減率との関係の一例を示す図である。
【図６】被曝低減スキャン範囲の第１の調整方法を説明するための図である。
【図７】被曝低減スキャン範囲の第２の調整方法を説明するための図である。
【図８】被曝低減スキャン範囲の第３の調整方法を説明するための図である。
【図９】被曝低減スキャン範囲の第４の調整方法を説明するための図である。
【図１０】被曝低減スキャン範囲の第５の調整方法を説明するための図である。
【図１１】被曝低減スキャン範囲の第６の調整方法を説明するための図である。
【図１２】被曝低減スキャン範囲の第７の調整方法を説明するための図である。
【図１３】被曝低減スキャン範囲の第８の調整方法を説明するための図である。
【図１４】本実施形態によるＸ線ＣＴ装置における動作の流れを示すフローチャート（flowchart）である。
【発明を実施するための形態】
【００２１】
以下、発明の実施形態について説明する。
【００２２】
図１は、本実施形態によるＸ線ＣＴ装置の構成を概略的に示す図である。Ｘ線ＣＴ装置１００は、操作コンソール（console）１、撮影テーブル（table）１０、および走査ガントリ２０を備えている。
【００２３】
操作コンソール１は、操作者からの入力を受け付ける入力装置２と、被検体の撮影を行うための各部の制御や画像を生成するためのデータ（data）処理などを行う中央処理装置３と、走査ガントリ２０で取得したデータを収集するデータ収集バッファ（buffer）５と、画像を表示するモニタ（monitor）６と、プログラムやデータ（data）などを記憶する記憶装置７とを備えている。
【００２４】
撮影テーブル１０は、被検体４０を載せて走査ガントリ２０の開口部に搬送するクレードル（cradle）１２を備えている。クレードル１２は、撮影テーブル１０に内蔵するモータ（motor）で昇降および水平直線移動される。なお、ここでは、被検体４０の体軸方向すなわちクレードル１２の水平直線移動方向をｚ方向、鉛直方向をｙ方向、ｚ方向およびｙ方向に垂直な水平方向をｘ方向とする。
【００２５】
走査ガントリ２０は、回転部１５と、回転部１５を回転可能に支持する本体部２０ａとを有する。回転部１５には、Ｘ線管２１と、Ｘ線管２１を制御するＸ線コントローラ（controller）２２と、Ｘ線管２１から発生したＸ線ビーム（beam）８１をコリメート（collimate）するコリメータ（collimator）２３と、被検体４０を透過したＸ線ビーム８１を検出するＸ線検出器２４と、Ｘ線検出器２４の出力を投影データに変換して収集するデータ収集装置（ＤＡＳ；Data Acquisition System）２５と、Ｘ線コントローラ２２，コリメータ２３，ＤＡＳ２５の制御を行う回転部コントローラ２６とが搭載されている。本体部２０ａは、制御信号などを操作コンソール１や撮影テーブル１０と通信する制御コントローラ２９を備えている。回転部１５と本体部２０ａとは、スリップリング（slip ring）３０を介して電気的に接続されている。
【００２６】
図２は、本実施形態によるＸ線ＣＴ装置におけるスキャンの実行に係る部分の機能ブロック図である。本実施形態によるＸ線ＣＴ装置は、図２に示すように、撮影部位選択部１０１、被検体姿勢選択部１０２、スカウトデータ（scout data）取得部１０３、ＣＴスキャン範囲設定部１０４、被曝低減スキャン範囲設定部（第１の設定手段）１０５、Ｘ線出力設定部１０６、チルト角設定部（第２の設定手段）１０７、被検体高さ位置特定部（特定手段）１０８、被曝低減スキャンパラメータ（scan parameter）設定部（第３の設定手段）１０９、ＣＴスキャンデータ（scan
data）取得部１１０、画像再構成部１１１、および画像表示制御部１１２を備えている。
【００２７】
撮影部位選択部１０１は、操作者の操作に応じて、被検体４０の撮影部位Ｂを、複数の候補の中から選択する。撮影部位の候補としては、例えば、「頭部」、「首部」、「胸部」、「腹部」などが挙げられる。なお、撮影部位選択部１０１は、先に取得したスカウトデータの解析結果や、読み出したスキャンプロトコル（scan protocol）などの情報に応じて、撮影部位を選択するようにしてもよい。
【００２８】
被検体姿勢選択部１０２は、操作者の操作に応じて、被検体４０の姿勢Ｃを、複数の候補の中から選択する。姿勢の候補としては、例えば、「仰向け」、「うつ伏せ」、「右横向き」、「左横向き」を挙げることができ、これらは、それぞれ、被検体の正面が向くビュー角度として、０度、１８０度、９０度、２７０度に対応する。なお、被検体姿勢選択部１０２は、先に取得したスカウトデータＰＳの解析結果や、読み出したスキャンプロトコルなどの情報に基づいて、被検体の姿勢を選択するようにしてもよい。
【００２９】
スカウトデータ取得部１０３は、撮影テーブル１０および走査ガントリ２０を制御することにより、被検体４０のスカウトスキャンを行って、スカウトデータＰＳを取得する。スカウトスキャンとは、本スキャン前に行う予備的なスキャンである。スカウトスキャンとしては、例えば、Ｘ線管（Ｘ線焦点）のビュー角度を一定にして被検体または走査ガントリをｚ方向に移動させながら、本スキャンよりも低線量のＸ線ビームを被検体４０に照射して投影データを収集するスキャンが挙げられる。また例えば、本スキャンよりも低い線量のＸ線ビームによるヘリカルスキャンが挙げられる。
【００３０】
ＣＴスキャン範囲設定部１０４は、操作者の操作に応じて、本スキャンにおけるＣＴスキャン範囲を設定する。ＣＴスキャン範囲とは、Ｘ線ＣＴスキャンを行うｚ方向の範囲である。なお、ＣＴスキャン範囲設定部１０４は、スカウトデータＰＳの解析結果など他の情報に基づいて、ＣＴスキャン範囲を設定するようにしてもよい。
【００３１】
図３に、ＣＴスキャン範囲の設定例を示す。例えば、図３に示すように、スカウトデータＰＳを基に作成・表示されたスカウト像４１上において、操作者がｚ方向の範囲をグラフィカル（graphical）に指定する。ＣＴスキャン範囲設定部１０４は、その指定された範囲をＣＴスキャン範囲ＲＣとして設定する。
【００３２】
被曝低減スキャン範囲設定部１０５は、操作者の操作に応じて、本スキャンにおける被曝低減スキャン範囲を設定する。被曝低減スキャン範囲は、被曝低減スキャンを行うｚ方向の範囲であり、ｚ方向に垂直な境界を定めることにより設定される。被曝低減スキャンとは、Ｘ線焦点２１ｆが所定のビュー角度範囲に位置している間だけ、Ｘ線管２１のＸ線出力を通常レベルである第１レベルＬ１からより低い第２レベルＬ２に低減して投影データを収集するスキャンである。
【００３３】
図４に、被曝低減スキャン範囲の設定例を示す。例えば、図４に示すように、スカウトデータＰＳを基に作成・表示されたスカウト像４１上において、操作者がＣＴスキャン範囲ＲＣの範囲内で、ｚ方向の範囲をグラフィカルに指定する。被曝低減スキャン範囲設定部１０５は、その指定された範囲を被曝低減スキャン範囲ＲＤ０として設定する。
【００３４】
本実施形態では、被曝低減スキャン範囲設定部１０５は、この被曝低減スキャン範囲ＲＤ０として、走査ガントリ２０をチルトさせないでスキャンを行う場合における、被曝低減スキャンを行うｚ方向の範囲を設定する。ちなみに、この被曝低減スキャン範囲の設定は、操作者からすると、被曝低減の対象となる部位を内包するｚ方向の範囲を設定することに等しい。
【００３５】
また、本実施形態では、被曝低減スキャン範囲ＲＤ０は、ビュー角度が０度（＋ｙ方向）であるときのＸ線焦点２１ｆのｚ方向の範囲として規定する。つまり、ＣＴスキャンの実行中、Ｘ線焦点２１ｆが、ビュー角度０度において、この設定された被曝低減スキャン範囲ＲＤ０内に位置するような場合に、被曝低減スキャンが行われる。なお、被曝低減スキャン範囲設定部１０５は、スカウトデータＰＳの解析結果など他の情報に基づいて、被曝低減スキャン範囲ＲＤ０を設定するようにしてもよい。
【００３６】
Ｘ線出力設定部１０６は、操作者の操作に応じて、本スキャンにおけるＸ線管のＸ線出力、すなわち管電圧および管電流を設定する。なお、Ｘ線出力設定部１０６は、自動露出機構を備えており、操作者に指定されたノイズインデックス（noise index）およびスカウトデータに基づいて、被検体４０におけるｚ方向の位置およびＸ線管２１の回転角度位置に応じて変化させるＸ線出力の変調曲線を定めるようにしてもよい。
【００３７】
チルト角設定部１０７は、操作者の操作に応じて、走査ガントリ２０のｚ方向におけるチルト角αを設定する。
【００３８】
被検体高さ位置特定部１０８は、被検体４０の高さ位置すなわちｙ方向における位置を特定する。例えば、スカウトデータの解析結果に基づいて、アイソセンタＩＣを基準にしたときの被検体４０の体軸の高さ位置、すなわちアイソセンタＩＣと体軸との高さ方向のずれを特定する。スカウトデータの解析としては、例えば、体軸の位置が規定されているテンプレートでマッチング（matching）を行う方法、頭頂や重心の位置を体軸の位置として検索する方法などを用いることができる。また例えば、操作者がスカウト像上でグラフィカルに被検体４０の体軸の位置を指定し、アイソセンタＩＣから指定された位置までの距離を求めることにより、当該ずれを特定する。
【００３９】
被曝低減スキャンパラメータ設定部１０９は、被曝低減スキャンにおけるＸ線出力低減率ｋを設定する。Ｘ線出力低減率ｋは、管電圧一定下では、管電流低減率となる。Ｘ線出力低減率ｋとは、Ｘ線出力を第１レベルＬ１の出力Ａ１から第２レベルＬ２の出力に低減する際の低減率である。つまり、第２レベルＬ２のＸ線出力は、（１−ｋ）・Ａ１となる。本実施形態では、図５に示す表を参照し、設定された撮影部位Ｂに応じてＸ線出力低減率ｋを設定する。なお、自動露出機構によりＸ線出力の変調曲線を求めた場合には、この変調曲線に沿ったＸ線出力が、上述の第１レベルＬ１となる。また、被曝低減スキャンパラメータ設定部１０８は、操作者の操作に応じて、所望の低減率を設定してもよい。
【００４０】
また、被曝低減スキャンパラメータ設定部１０９は、被曝低減ビュー角度範囲を設定する。被曝低減ビュー角度範囲とは、Ｘ線出力を第１レベルＬ１の出力Ａ１から第２レベルＬ２の出力に低減する、Ｘ線焦点のビュー角度範囲である。つまり、Ｘ線焦点が、この被曝低減ビュー角度範囲内に位置している間、Ｘ線出力を第１レベルＬ１から第２レベルＬ２に低減する。本実施形態では、被曝低減ビュー角度範囲の中心角度位置を、設定された姿勢を取る被検体の正面方向の角度位置とする。そして、図５に示す表を参照し、設定された撮影部位に応じて、被曝低減ビュー角度範囲の角度幅を設定する。
【００４１】
また、被曝低減スキャンパラメータ設定部１０９は、チルト角が０度以外の場合、すなわち走査ガントリ２０をチルトさせる場合に、設定された姿勢、チルト角、特定された高さ位置（ずれ）等に基づいて、先に設定された被曝低減スキャン範囲を調整する。つまり、走査ガントリ２０をチルトさせてスキャンする場合に、被曝低減の対象である部位が被曝低減スキャン領域に内包されるよう、被曝低減スキャン範囲を調整する。被曝低減スキャン範囲の調整方法については、後ほど詳述する。
【００４２】
ＣＴスキャンデータ取得部１０９は、撮影テーブル１０および走査ガントリ２０を制御することにより、設定されたＣＴスキャン範囲ＲＣに対するＣＴスキャンを本スキャンとして行い、ＣＴスキャンデータＰＣを取得する。この際、設定された被曝低減スキャンパラメータに基づいて、被曝低減スキャンを行う。なお、ＣＴスキャンデータは、投影データともいう。
【００４３】
画像再構成部１１０は、ＣＴスキャンデータＰＣに基づいて、フィルタ（filter）逆投影処理等の画像再構成処理を行って、ＣＴスキャン範囲ＲＣにおけるｚ方向各位置での断層像を再構成する。
【００４４】
画像表示制御部１１１は、モニタ６を制御して、スカウトデータＰＳに基づく画像や、再構成画像、その他の情報をモニタ６の画面に表示する。
【００４５】
これより、被曝低減スキャン範囲の調整方法について説明する。
【００４６】
（第１の調整方法）
図６は、第１の調整方法を説明するための図である。
【００４７】
ここでは、図６に示すように、撮影部位Ｂは「頭部」、姿勢Ｃは「仰向け」、ＣＴスキャン範囲ＲＣは頭部の略全範囲、当初の被曝低減スキャン範囲ＲＤ０は被検体４０の眼４０ａを内包するｚ方向の範囲、チルト角αは１５度以下の所定の角度を想定する。また、被曝低減ビュー角度範囲ＡＲは、中心角度位置をビュー角度０度（＋ｙ方向）の角度位置とし、角度幅を略１００度とする角度範囲を想定する。
【００４８】
図６に示すように、まず、被曝低減の対象となる眼４０ａを内包する関心領域ＳＶを規定する。この関心領域ＳＶは、例えば、アイソセンタＩＣを柱軸とする円柱状のＳＦＯＶ（撮像視野）空間ＦＶのうち、被曝低減スキャン範囲ＲＤ０に含まれ（被曝低減スキャン範囲ＲＤ０の内側）、かつ、被検体４０の両眼を内包する所定のビュー角度範囲に含まれる（当該所定のビュー角度範囲の内側）領域とすることができる。関心領域ＳＶは、ＳＦＯＶ空間ＦＶのうち、被曝低減スキャン範囲ＲＤ０の領域と、当該所定のビュー角度範囲の領域との重複領域としてもよい（後述する他の調整方法においても同様）。
【００４９】
次に、ｚ方向に垂直な面、すなわちｘｙ面をチルト角αだけｚ方向に傾斜させた斜面であって、関心領域ＳＶのｚ方向に沿った一端と接する第１の斜面Ｋ１を規定する。また、ｘｙ面をチルト角αだけｚ方向に傾斜させた斜面であって、関心領域ＳＶのｚ方向に沿った他端と接する第２の斜面Ｋ２を規定する。
【００５０】
そして、第１の斜面Ｋ１が、被曝低減スキャンの開始時および終了時の一方のスキャン面となり、第２の斜面Ｋ２が、被曝低減スキャンの開始時および終了時の他方のスキャン面となるように、被曝低減スキャン範囲を調整する。
【００５１】
例えば、図６に示すように、当初の被曝低減スキャン範囲ＲＤ０の両端のうち、走査ガントリ２０がチルトした側（本例では−ｚ方向側）の一端を表すｚ方向の位置を第１の位置Ｚ１、他端を表すｚ方向の位置を第２の位置Ｚ２とする。また、傾斜した楕円状のＳＦＯＶ（撮像視野）の長径をＤとする。さらに、第１の位置Ｚ１から、（Ｄ／２）×Ｓｉｎα分だけ、走査ガントリ２０をチルトした側に移動した位置を第３の位置Ｚ３とする。そして、この第３の位置Ｚ３から第２の位置Ｚ２までのｚ方向の範囲を、新たな被曝低減スキャン範囲ＲＤ１とする。
【００５２】
これにより、スキャン中において、ビュー角度が０度にあるときのＸ線焦点２１ｆのｚ方向位置が、この新たな被曝低減スキャン範囲ＲＤ１の中に位置しているときに、被曝低減スキャンが行われる。
【００５３】
このような第１の調整方法によれば、チルト角αでスキャンする場合にも、被曝低減の対象である部位を、被曝低減スキャン領域ＤＴの中に確実に含めることができる。
【００５４】
なお、第１の調整方法は、被検体の姿勢が「うつ伏せ」である場合にも、同様に適用できる。
【００５５】
（第２の調整方法）
図７は、第２の調整方法を説明するための図である。
【００５６】
各種設定および規定の条件は、第１の調整方法の場合と同じである。
【００５７】
第２の調整方法では、第１の斜面Ｋ１を走査ガントリ２０のチルトした側とは反対側に（Ｄ／４）×Ｓｉｎα以下の所定距離だけ移動させた斜面を第３の斜面Ｋ３とする。そして、この第３の斜面Ｋ３が、被曝低減スキャンの開始時および終了時の一方のスキャン面となり、第２の斜面Ｋ２が、被曝低減スキャンの開始時および終了時の他方のスキャン面となるように、被曝低減スキャン範囲を調整する。
【００５８】
例えば、図７に示すように、第１の位置Ｚ１から（Ｄ／４）×Ｓｉｎα分だけ、走査ガントリ２０をチルトした側に移動した位置を第４の位置Ｚ４とする。そして、この第４の位置Ｚ４から第２の位置Ｚ２までのｚ方向の範囲を、新たな被曝低減スキャン範囲ＲＤ１とする。
【００５９】
通常、被曝低減の対象となる部位は、放射線感受性の高い部位である。放射線感受性の高い部位は、例えば、眼（水晶体）、甲状腺、乳腺、生殖器などであり、これらは、被検体４０の正面側の体表面近くにある。そのため、被検体４０の大きさやＳＦＯＶ空間ＦＶとの位置関係を考えると、被曝低減の対象となる部位は、スキャン面に沿ったｙ方向において、アイソセンタＩＣからおおよそ（Ｄ／２）程度離れた場所に位置するケースが多い。つまり、被検体４０が「仰向け」または「うつ伏せ」の姿勢をとっている場合には、関心領域ＳＶのうち、アイソセンタＩＣまたはＳＦＯＶの外周寄りである部分には、被曝低減の対象となる部位はほとんど存在しない。そこで、このような部分のうちの少なくとも一部を、被曝低減スキャン領域から外すように被曝低減スキャン範囲を設定する。
【００６０】
このような第２の調整方法によれば、被曝低減の対象である部位を、チルト角αでスキャンするときの被曝低減スキャン領域ＤＴの中に確実に含めつつ、被曝低減スキャン領域ＤＴを必要以上に広げないようにすることができる。その結果、対象となる部位の被曝低減を確実に行いながら、再構成画像の画質劣化を抑えることができる。
【００６１】
なお、第２の調整方法は、被検体の姿勢が「うつ伏せ」である場合にも、同様に適用できる。
【００６２】
（第３の調整方法）
図８は、第３の調整方法を説明するための図である。
【００６３】
各種設定および規定の条件は、第１の調整方法の場合と同じである。
【００６４】
第３の調整方法では、第２の斜面Ｋ２を走査ガントリ２０のチルトした側に（Ｄ／４）×Ｓｉｎα以下の所定距離だけ移動させた斜面を第４の斜面Ｋ４とする。そして、この第４の斜面Ｋ４が、被曝低減スキャンの開始時および終了時の一方のスキャン面となり、第１の斜面Ｋ１が、被曝低減スキャンの開始時および終了時の他方のスキャン面となるように、被曝低減スキャン範囲を調整する。
【００６５】
例えば、図８に示すように、第２の位置Ｚ２から（Ｄ／４）×Ｓｉｎα分だけ、走査ガントリ２０をチルトした側に移動した位置を第５の位置Ｚ５とする。そして、第１の位置Ｚ１からこの第５の位置Ｚ５までのｚ方向範囲を、新たな被曝低減スキャンｚ方向範囲ＲＤ１とする。
【００６６】
このような第３の調整方法によれば、第２の調整方法と同様に、被曝低減の対象である部位を、チルト角αでの被曝低減スキャン領域ＤＴの中に確実に含めつつ、被曝低減スキャン領域ＤＴを必要以上に広げないようにすることができる。その結果、対象となる部位の被曝低減を確実に行いながら、再構成画像の画質劣化を抑えることができる。
【００６７】
なお、第３の調整方法は、被検体姿勢が「うつ伏せ」である場合にも、同様に適用できる。
【００６８】
（第４の調整方法）
図９は、第４の調整方法を説明するための図である。
【００６９】
各種設定および規定の条件は、第１の調整方法の場合と同じである。
【００７０】
第４の調整方法では、第３の斜面Ｋ３が、被曝低減スキャンの開始時および終了時の一方のスキャン面となり、第４の斜面Ｋ４が、被曝低減スキャンの開始時および終了時の他方のスキャン面となるように、被曝低減スキャン範囲を調整する。
【００７１】
例えば、図９に示すように、第４の位置Ｚ４から第５の位置Ｚ５までのｚ方向範囲を、新たな被曝低減スキャン範囲ＲＤ１とする。
【００７２】
上述の通り、関心領域ＳＶのうち、アイソセンタＩＣまたはＳＦＯＶの外周寄りであり、かつ、ｚ方向の両端寄りである部分には、被曝低減の対象となる部位はほとんど存在しない。そこで、このような部分の多くを、被曝低減スキャン領域から外すように被曝低減スキャンｚ方向範囲を設定する。
【００７３】
このような第４の調整方法によれば、被曝低減の対象である部位を、チルト角αでスキャンするときの被曝低減スキャン領域ＤＴの中に確実に含めつつ、被曝低減スキャン領域ＤＴを必要以上に広げないようにすることができる。その結果、対象となる部位の被曝低減を確実に行いながら、再構成画像の画質劣化をより抑えることができる。
【００７４】
なお、第４の調整方法は、被検体姿勢が「うつ伏せ」である場合にも、同様に適用できる。
【００７５】
（第５の調整方法）
図１０は、第５の調整方法を説明するための図である。
【００７６】
各種設定および規定の条件は、第１の調整方法の場合と同じである。
【００７７】
第５の調整方法では、被曝低減の対象となる部位が存在する側（本例では、＋ｙ方向側）の被検体の体表面のｚ方向における輪郭を輪郭Ｆとする。また、輪郭Ｆ上の点であって、当初設定された被曝低減スキャン範囲ＲＤ０の一端を表すｚ方向の位置における点を、第１の輪郭上点Ｅ１とする。また、輪郭Ｅ上の点であって、当初設定された被曝低減スキャン範囲ＲＤ０の他端のｚ方向位置における点を、第２の輪郭上点Ｅ２とする。
【００７８】
さらに、ｘｙ面をチルト角αだけｚ方向に傾斜させた面であって、第１の輪郭上点Ｅ１を通る面を第５の斜面Ｋ５とする。また、ｚ方向に垂直な面をチルト角αだけｚ方向に傾斜させた面であって、第２の輪郭上点Ｅ２を通る面を第６の斜面Ｋ６とする。そして、この第５の斜面Ｋ５が、被曝低減スキャンの開始時および終了時の一方のスキャン面となり、第６の斜面Ｋ６が、被曝低減スキャンの開始時および終了時の他方のスキャン面となるように、被曝低減スキャン範囲を調整する。
【００７９】
例えば、図１０に示すように、アイソセンタＩＣから第１の輪郭上点Ｅ１までの距離を第１の距離ａとする。また、アイソセンタＩＣから第２の輪郭上点Ｅ２までの距離を第２の距離ｂとする。さらに、第１の位置Ｚ１から、（（Ｄ／２）×Ｃｏｓα−ａ）×Ｔａｎα分だけ、走査ガントリ２０をチルトした側に移動した位置を、第６の位置Ｚ６とする。また、第２の位置Ｚ２から（（Ｄ／２）×Ｃｏｓα−ｂ）×Ｔａｎα分だけ、走査ガントリ２０をチルトした側に移動した位置を第７の位置Ｚ７とする。そして、この第６の位置Ｚ６から第７の位置Ｚ７までのｚ方向範囲を、新たな被曝低減スキャン範囲ＲＤ１とする。
【００８０】
なお、第１の距離ａおよび第２の距離ｂは、例えば、スカウトデータＰＳの解析結果から求めることができる。また例えば、操作者がスカウト像を参照してグラフィカルに第１および第２の輪郭上点Ｅ１，Ｅ２を指定し、これに基づいて求めてもよい。
【００８１】
このような第５の調整方法によれば、被検体４０の体表面の位置を正確にとらえて被曝低減の対象となる部位の位置をより正確に推定することができ、対象の被曝低減をより確実にしつつ、被曝低減スキャン領域のマージンをより狭めることができる。
【００８２】
なお、第５の調整方法は、被検体の姿勢が「うつ伏せ」である場合にも、同様に適用できる。
【００８３】
（第６の調整方法）
図１１は、第６の調整方法を説明するための図である。
【００８４】
ここでは、被検体の姿勢が「左横向き」の場合を想定する。その他の各種設定および規定の条件は、第１の調整方法の場合と同じである。
【００８５】
まず、第１の調整方法の場合と同様に、被曝低減の対象となる眼４０ａを内包する関心領域ＳＶを規定する。この関心領域ＳＶは、例えば、アイソセンタＩＣを柱軸とする円柱状のＳＦＯＶ空間ＦＶのうち、被曝低減スキャン範囲ＲＤ０に含まれ、かつ、被検体４０の両眼４０ａを内包する所定のビュー角度範囲に含まれる領域とすることができる。ここでは、この所定のビュー角度範囲を、被検体４０の左横向き方向すなわちビュー角度が２７０度である方向を中心に、角度幅６０度の範囲とする。
【００８６】
次に、ｘｙ面をチルト角αだけｚ方向に傾斜させた斜面であって、関心領域ＳＶ２のｚ方向に沿った一端と接する第７の斜面Ｋ７を規定する。また、ｘｙ面をチルト角αだけｚ方向に傾斜させた斜面であって、関心領域ＳＶ２のｚ方向に沿った他端と接する第８の斜面Ｋ８を規定する。
【００８７】
そして、第７の斜面Ｋ７が、被曝低減スキャンの開始時および終了時の一方のスキャン面となり、第８の斜面Ｋ８が、被曝低減スキャンの開始時および終了時の他方のスキャン面となるように、被曝低減スキャン範囲を調整する。
【００８８】
例えば、図１１に示すように、第１の位置Ｚ１から、（（Ｄ／４）×３×Ｓｉｎα）分だけ、走査ガントリ２０をチルトした側に移動した位置を、第８の位置Ｚ８とする。また、第２の位置Ｚ２から、（（Ｄ／４）×Ｓｉｎα）分だけ、走査ガントリ２０をチルトした側に移動した位置を、第９の位置Ｚ９とする。そして、この第８の位置Ｚ８から第９の位置Ｚ９までのｚ方向範囲を、新たな被曝低減スキャン範囲ＲＤ１とする。
【００８９】
このような第６の調整方法によれば、チルト角αでスキャンする場合に、被検体の姿勢が横向きであっても、被曝低減の対象となる部位を、被曝低減スキャン領域ＤＴの中に確実に含めることができる。
【００９０】
なお、第６の調整方法は、被検体の姿勢が「右横向き」である場合にも、同様に適用できる。
【００９１】
（第７の調整方法）
図１２は、第７の調整方法を説明するための図である。
【００９２】
各種設定および規定の条件は、第６の調整方法の場合と同じである。
【００９３】
第７の調整方法では、＋ｚ方向側の被検体の体表面のｙ方向における輪郭を輪郭Ｇとする。また、輪郭Ｇ上の点であって、当初設定された被曝低減スキャン範囲ＲＤ０の両端のうち、走査ガントリ２０をチルトした側の端に相当するｚ方向の位置における−ｙ方向側の点を、第３の輪郭上点Ｅ３とする。また、輪郭Ｇ上の点であって、当初設定された被曝低減スキャン範囲ＲＤ０のもう一方に端であり、走査ガントリ２０をチルトした側とは反対側の端に相当するｚ方向の位置における＋ｙ方向側の点を、第４の輪郭上点Ｅ４とする。
【００９４】
さらに、ｘｙ面をチルト角αだけｚ方向に傾斜させた面であって、第３の輪郭上点Ｅ３を通る面を第９の斜面Ｋ９とする。また、ｚ方向に垂直な面をチルト角αだけｚ方向に傾斜させた面であって、第４の輪郭上点Ｅ４を通る面を第１０の斜面Ｋ１０とする。
【００９５】
そして、この第９の斜面Ｋ９が、被曝低減スキャンの開始時および終了時の一方のスキャン面となり、第１０の斜面Ｋ１０が、被曝低減スキャンの開始時および終了時の他方のスキャン面となるように、被曝低減スキャン範囲を調整する。
【００９６】
例えば、図１２に示すように、アイソセンタＩＣから第３の輪郭上点Ｅ３までの距離を第３の距離ｃとする。また、アイソセンタＩＣから第４の輪郭上点Ｅ４までの距離を第４の距離ｄとする。さらに、第１の位置Ｚ１から、（（Ｄ／２）×Ｃｏｓα＋ｃ）×Ｔａｎα分だけ、走査ガントリ２０をチルトした側に移動した位置を、第１０の位置Ｚ１０とする。また、第２の位置Ｚ２から（（Ｄ／２）×Ｃｏｓα−ｄ）×Ｔａｎα分だけ、走査ガントリ２０をチルトした側に移動した位置を第１１の位置Ｚ１１とする。そして、この第１０の位置Ｚ１０から第１１の位置Ｚ１１までのｚ方向の範囲を、新たな被曝低減スキャン範囲ＲＤ１とする。
【００９７】
なお、第３の距離ｃおよび第４の距離ｄは、例えば、スカウトデータＰＳの解析結果から求めることができる。また例えば、操作者がスカウト像を参照してグラフィカルに第３および第４の輪郭上点Ｅ３，Ｅ４を指定し、これに基づいて求めてもよい。
【００９８】
このような第７の調整方法によれば、被検体の姿勢を横向きにした場合であっても、被検体４０の体表面の位置を正確にとらえて被曝低減の対象となる部位の位置をより正確に推定することができ、対象の被曝低減をより確実にしつつ、被曝低減スキャン領域のマージンをより狭めることができる。
【００９９】
なお、第７の調整方法は、被検体の姿勢が「右横向き」である場合にも、同様に適用できる。
【０１００】
（第８の調整方法）
図１３は、第８の調整方法を説明するための図である。
【０１０１】
各種設定および規定の条件は、第１の調整方法の場合と同じである。
【０１０２】
被検体４０の体軸がアイソセンタＩＣからずれていると、被曝低減の対象となる部位が被曝低減スキャン領域ＤＴからはみ出てしまう可能性がある。そこで、第８の調整方法では、第１〜第７の調整方法において、被検体４０の高さ方向すなわちｙ方向における、被検体４０の体軸とアイソセンタＩＣとのずれを特定し、そのずれを考慮して被曝低減スキャン範囲を調整する。
【０１０３】
例えば、図１３に示すように、被検体４０の体軸ＡＺがアイソセンタＩＣから−ｙ方向に距離ｆだけずれている（距離ｆだけ低い）場合、第１〜第７の調整方法のいずれかにより求められた被曝低減スキャン範囲ＲＤ１を、走査ガントリ２０をチルトする側に距離ｆ×Ｔａｎαだけ移動させる（ＲＤ１′）。
【０１０４】
また例えば、被検体４０の体軸がアイソセンタＩＣから＋ｙ方向に距離ｆだけずれている（距離ｆだけ高い）場合、第１〜第７の調整方法のいずれかにより求められた被曝低減スキャン範囲ＲＤ１を、走査ガントリ２０をチルトする側と反対側に距離ｆ×Ｔａｎαだけ移動させる。
【０１０５】
このような第８の調整方法によれば、被検体４０の体軸の高さ位置がアイソセンタＩＣからずれている場合であっても、被曝低減の対象となる部位の位置を正確に推定して、被曝低減スキャン領域内に含めることができる。
【０１０６】
なお、第８の調整方法は、被検体姿勢が「うつ伏せ」、「左横向き」、または「右横向き」である場合も、同様に適用できる。
【０１０７】
これより、本実施形態によるＸ線ＣＴ装置における動作について説明する。
【０１０８】
図１４は、本実施形態によるＸ線ＣＴ装置における動作の流れを示すフローチャートである。
【０１０９】
ステップ（step）Ｓ１では、撮影部位選択部１０１が、操作者の操作に応じて、被検体４０の撮影部位を選択する。
【０１１０】
ステップＳ２では、被検体姿勢選択部１０２が、操作者の操作に応じて、被検体４０の姿勢Ｃを選択する。
【０１１１】
ステップＳ３では、スカウトデータ取得部１０３が、ステップＳ１で選択された撮影部位Ｂに応じて、この撮影部位Ｂが含まれるｚ方向の所定の範囲をスカウトスキャン範囲ＲＣとして設定する。また、スカウトデータ取得部１０３は、撮影テーブル１０および走査ガントリ２０を制御して、設定されたスカウトスキャン範囲ＲＣに対するスカウトスキャンを行い、スカウトデータＰＳを取得する。
【０１１２】
ステップＳ４では、画像表示制御部１１２が、ステップＳ３で取得されたスカウトデータＰＳに基づいて、被検体４０のスカウト像をモニタ６の画面に表示する。
【０１１３】
ステップＳ５では、操作者が、そのスカウト像上でｚ方向の所望の範囲を指定する。ＣＴスキャン範囲設定部１０４は、その指定された範囲をＣＴスキャン範囲ＲＣとして設定する。
【０１１４】
ステップＳ６では、操作者が、表示されたスカウト像４１上で、ＣＴスキャン範囲ＲＣ内に存在する放射線感受性の高い組織を含むｚ方向の範囲を指定する。被曝低減スキャン範囲設定部１０５は、その指定されたｚ方向の範囲を、被曝低減スキャン範囲ＲＤ０として設定する。
【０１１５】
ステップＳ７では、操作者が、所望の管電圧と再構成画像のノイズ指標値（noise
index）とを入力する。Ｘ線出力設定部１０６は、その入力された管電圧を、本スキャンにおける管電圧Ｖとして設定する。また、Ｘ線出力設定部１０６は、自動露出機構により、本スキャンにおける通常の管電流に相当する第１レベルＬ１の管電流Ａ１を設定する。自動露出機構は、取得されたスカウトデータＰＳと、入力されたノイズ指標値ＮＩとを基に、Ｘ線管２１のｚ方向の座標Ｚに応じて変化する管電流Ａ（Ｚ）または、Ｘ線管２１のｚ方向の座標Ｚおよびビュー角度θに応じて変化する管電流Ａ（Ｚ，θ）を求める。したがって、Ｘ線出力設定部１０６は、上記の管電流Ａ（Ｚ）または管電流Ａ（Ｚ，θ）を第１レベルＬ１の管電流Ａ１として設定する。
【０１１６】
ステップＳ８では、操作者が、所望の角度を指定する。チルト角設定部１０７は、その指定された角度を、走査ガントリ２０のチルト角αとして設定する。
【０１１７】
ステップＳ９では、被検体高さ位置特定部１０８が、スカウトデータＰＳの解析結果、あるいは操作者の操作に応じて、アイソセンタを基準にしたときの被検体４０の体軸の高さ位置を特定する。
【０１１８】
ステップＳ１０では、被曝低減スキャンパラメータ設定部１０９が、設定された被検体の撮影部位Ｂ，姿勢Ｃ、チルト角α、特定された被検体の高さ位置（ずれ）等に基づいて、被曝低減スキャンパラメータを設定する。すなわち、被曝低減スキャンパラメータ設定部１０９は、被曝低減スキャンにおけるＸ線出力低減率ｋ、被曝低減ビュー角度範囲ＡＲを設定し、また、先に設定された被曝低減スキャン範囲ＲＤ０を、第１〜第８の調整方法のいずれかを用いて調整し、設定し直す。
【０１１９】
ステップＳ１１では、ＣＴスキャンデータ取得部１１０が、撮影テーブル１０および走査ガントリ２０を制御して、設定されたＣＴスキャン範囲ＲＣに対するＣＴスキャンを本スキャンとして行い、ＣＴスキャンデータＰＣを取得する。この際、設定された被曝低減スキャンパラメータに基づいて、被曝低減スキャンが行われる。なお、ここではＣＴスキャンとしてアキシャルスキャン（axial scan）を想定するが、ヘリカルスキャン（helical scan）であってもよい。
【０１２０】
ステップＳ１２では、画像再構成部１１１が、ステップＳ１１で取得されたＣＴスキャンデータＰＣに基づいて、フィルタ逆投影処理等の画像再構成処理を行い、ＣＴスキャン範囲ＲＣにおけるｚ方向各位置での断層像を再構成する。
【０１２１】
ステップＳ１３では、画像表示制御部１１２が、ステップＳ１２で再構成された断層像をモニタ６の画面に表示する。
【０１２２】
なお、発明の実施形態は、上記の実施形態に限定されず、発明の趣旨を逸脱しない範囲において種々の変形が可能である。
【符号の説明】
【０１２３】
１  操作コンソール
２  入力装置
３  中央処理装置
５  データ収集バッファ
６  モニタ
７  記憶装置
１０  撮影テーブル
１２  クレードル
１５  回転部
２０  走査ガントリ
２１  Ｘ線管
２２  Ｘ線コントローラ
２３  コリメータ
２４  Ｘ線検出器
２５  データ収集装置
２６  回転部コントローラ
２９  制御コントローラ
３０  スリップリング
４０  被検体
４０ａ  眼
４１  スカウト像
８１  Ｘ線ビーム
１００  Ｘ線ＣＴ装置
１０１  撮影部位選択部（第１の設定手段）
１０２  被検体姿勢選択部
１０３  スカウトデータ取得部
１０４  ＣＴスキャン範囲設定部
１０５  被曝低減スキャン範囲設定部
１０６  Ｘ線出力設定部
１０７  チルト角設定部（第２の設定手段）
１０８  被検体高さ位置特定部（特定手段）
１０９  被曝低減スキャンパラメータ設定部（第３の設定手段）
１１０  ＣＴスキャンデータ取得部
１１１  画像再構成部
１１２  画像表示制御部
【図１】
0005843569.tif 000002
【図２】
0005843569.tif 000003
【図３】
0005843569.tif 000004
【図４】
0005843569.tif 000005
【図５】
0005843569.tif 000006
【図６】
0005843569.tif 000007
【図７】
0005843569.tif 000008
【図８】
0005843569.tif 000009
【図９】
0005843569.tif 000010
【図１０】
0005843569.tif 000011
【図１１】
0005843569.tif 000012
【図１２】
0005843569.tif 000013
【図１３】
0005843569.tif 000014
【図１４】
0005843569.tif 000015